(57)【要約】【課題】容易に購入可能で、かつ、容易に販売可能なデジタルフォトフレームに対して画像データを配信させるサービスを実現させることができる通信管理サーバ装置及びそれに伴うデジタルフォトフレームの登録方法を提供すること。【解決手段】通信管理サーバ装置２００は、各デジタルフォトフレーム１００の画像データ提供サービスへの登録時に、デジタルフォトフレーム１００が有するシリアル番号情報と当該デジタルフォトフレーム１００に装着されたＳＩＭカードＭ２に記録されている電話番号情報に基づいて当該各デジタルフォトフレーム１００の機器としての認証を行い、画像データを配信するサービスにおける通信管理を開始するための各種の処理を行うようになっている。【選択図】図１
2011023948.tif 000002
【特許請求の範囲】
【請求項１】
通信に用いるための通信識別情報を保持するモジュールを備え、当該モジュールと協働し、当該通信識別情報に基づいて通信を行う携帯用通信端末装置に対して、所定のサービスにおける通信の管理を行う通信管理サーバ装置において、
協働して通信を行う携帯用通信端末装置を他の携帯用通信端末装置と識別するための端末識別情報および前記モジュールを他のモジュールと識別するためのモジュール識別情報が前記モジュールに記録されており、前記端末識別情報および前記モジュール識別情報に基づいて前記通信の管理を開始するための処理を実行する通信管理サーバ装置であって、
前記通信識別情報の利用登録を管理する登録管理サーバ装置によって提供されたモジュール識別情報が予め記録されているとともに、各モジュール識別情報毎に前記登録管理サーバ装置から提供された複数の通信識別情報が対応づけられて記録されている第１データベースと、
複数の前記端末識別情報が予め記録されている第２データベースと、
を備え、
前記携帯用通信端末装置が前記登録管理サーバ装置と通信を行うことによって当該携帯用通信端末装置に組み込まれた前記モジュールに新規に一の前記通信識別情報が自動登録されたときに、
前記携帯用通信端末装置から送信された端末識別情報、通信識別情報およびモジュール識別情報を受信する受信手段と、
前記受信されたモジュール識別情報および通信識別情報が前記第１データベースに記憶されているモジュール識別情報と当該記憶されているモジュール識別情報に関連づけて記憶されている通信識別情報とに一致し、かつ、前記受信された端末識別情報が前記第２データベースに記憶されている一の端末装置識別情報と一致した場合に、アクセス情報を発行する発行手段と、
前記発行されたアクセス情報を前記携帯用通信端末装置に提供する提供手段と、
前記提供されたアクセス情報を取得する取得手段と、
前記アクセス情報が所定の条件の下に取得された場合に、前記携帯用通信端末装置の通信の管理を開始する管理制御手段と、
を有することを特徴とする通信管理サーバ装置。
【請求項２】
請求項１に記載の通信管理サーバ装置において、
前記取得手段が、前記携帯用通信端末装置から送信された端末識別情報、通信識別情報およびモジュール識別情報を受信する際に確立された通信回線とは異なる通信回線よって前記提供されたアクセス情報を取得することを特徴とする通信管理サーバ装置。
【請求項３】
請求項１または２に記載の通信管理サーバ装置において、
前記通信識別情報が、公衆電話網回線にて使用される電話番号であることを特徴とする通信管理サーバ装置。
【請求項４】
請求項１乃至３のいずれか一項に記載の通信管理サーバ装置において、
前記管理制御手段が、前記アクセス情報が発行されてから所定の期間内に取得された場合に前記携帯用通信端末装置との通信の管理を開始することを特徴とする通信管理サーバ装置。
【請求項５】
請求項１乃至４のいずれか一項に記載の通信管理サーバ装置において、
前記第１データベースおよび前記第２データベースの少なくともいずれか一のデータベースが、前記通信管理サーバ装置が配設されている場所とは離隔された場所に配設されていることを特徴とする通信管理サーバ装置。
【請求項６】
通信に用いるための通信識別情報を保持するモジュールを備え、当該モジュールと協働し、当該通信識別情報に基づいて通信を行う携帯用通信端末装置に対して、通信の管理を行う際の認証方法において、
前記携帯用通信端末装置が登録管理サーバ装置と通信を行うことによって、当該携帯用通信端末装置に組み込まれた前記モジュールに新規に一の前記通信識別情報を自動登録する登録処理と、
前記登録処理の終了後に、前記携帯用通信端末装置が通信管理サーバ装置と通信を行うことによって、前記モジュールに記録された前記携帯用通信端末装置を他の携帯用通信端末装置と識別するための端末識別情報および当該モジュールを他のモジュールと識別するためのモジュール識別情報と、前記通信識別情報と、に基づいて認証を行い、当該認証後に前記携帯電話装置の通信の管理を開始する開始処理と、
を含み、
前記開始処理を行う際に、
前記携帯用通信端末装置から送信されたモジュール識別情報および通信識別情報と、第１データベースに記録されている、前記通信識別情報の利用登録を管理する登録管理サーバ装置によって提供されたモジュール識別情報および通信識別情報と、を照合する第１照合処理と、
前記携帯用通信端末装置から送信された端末識別情報と、第１データベースに記録されている複数の端末識別情報と、を照合する第２照合処理と、
前記携帯用通信端末装置から送信されたモジュール識別情報および通信識別情報が前記第１データベースに記憶されているモジュール識別情報と当該記憶されているモジュール識別情報とに関連づけて記憶されている通信識別情報とに一致し、かつ、前記携帯用通信端末装置から送信された端末識別情報が前記第２データベースに記憶されている一の端末装置識別情報と一致した場合に、アクセス情報を発行する発行処理と、
前記発行されたアクセス情報を前記携帯用通信端末装置に提供する提供処理と、
前記提供されたアクセス情報を受信する受信処理と、
前記アクセス情報を所定の条件にて受信したか否かを判定して前記携帯用通信端末装置の認証を行う認証処理と、
を含むことを特徴とする認証方法。
【発明の詳細な説明】
【技術分野】
【０００１】
本発明は、携帯用通信端末装置の認証を行って識別情報を付与し、付与された識別情報に基づいて当該携帯用通信端末装置の通信を許可する認証サーバ装置および認証方法に関する。
【背景技術】
【０００２】
近年、無線通信技術や種々の回路素子および表示装置の小型化など、周辺技術の発達や低価格化に伴って、携帯電話機およびＰＨＳ（Ｐｅｒｓｏｎａｌ  Ｈａｎｄｙ  Ｐｈｏｎｅ  Ｓｙｓｔｅｍ）等に代表される携帯用通信端末装置は、広く一般に普及している。
【０００３】
また、最近の携帯電話機は、公衆電話網回線上において他の電話機と識別するための識別情報、すなわち、電話番号をＳＩＭカード（シムカード、Ｓｕｂｓｃｒｉｂｅｒ  Ｉｄｅｎｔｉｔｙ  Ｍｏｄｕｌｅ  Ｃａｒｄ）と呼ばれる記憶媒体に格納し、このＳＩＭカードの情報を基にして他の電話機、通信端末装置またはサーバ装置とデータ通信または通話を行うようになっている。
【０００４】
特に、新規購入などにより、ＳＩＭカードを新たに用意して携帯電話機を使用する際には、当該ＳＩＭカードとパーソナルコンピュータその他の種々の装置を有線にて接続し、例えばコンピュータのユーザインターフェースおよび入出力インターフェースを用いて電話番号などの各種の情報を当該ＳＩＭカードに予め登録するようになっている。
【０００５】
また、最近では、携帯電話機とＳＩＭカードの情報を管理するサーバ装置（以下、単に「管理サーバ装置」という。）とをインターネット回線と移動パケット通信網から構成されるネットワークを介して通信させ、当該携帯電話機に格納されたＳＩＭカードに各種の情報を遠隔にて登録させる方法も実現されている。
【０００６】
例えば、この遠隔にてＳＩＭカードに電話番号の情報（以下、「電話番号情報」という。）を登録する方法（以下、単に「電話番号登録方法」という。）としては、以下の手順によって行われるようになっている。
【０００７】
まず、ユーザの承諾により、オペレータその他の管理サーバ装置の操作者が、電話番号などのＳＩＭカードの識別情報（以下「ＳＩＭカード識別情報」という。）に所定の電話番号を対応づけて管理サーバ装置に登録する。
【０００８】
次いで、携帯電話機の電源がオンにされた場合に、携帯電話機が管理サーバ装置とネットワークを介して通信を行うとともに、当該携帯電話機に組み込まれたＳＩＭカードのＳＩＭカード識別情報を管理サーバ装置に送信する。
【０００９】
次いで、管理サーバ装置は、受信したＳＩＭカード識別情報に基づいて格納されているＳＩＭカード識別情報と照合し、受信したＳＩＭカード識別情報と同一のＳＩＭカード識別情報に対応づけて記録されている電話番号を電話番号情報として携帯電話機に送信する。
【００１０】
そして、携帯電話機は、受信した電話番号情報をＳＩＭカードに登録し、管理サーバ装置及び携帯電話機は、各動作を終了させる。
【００１１】
このように携帯電話機に電話番号情報が登録されるとともに、登録された後には、携帯電話機は、当該登録された電話番号情報に基づいて他の端末装置と通信を行うようになっている。
【００１２】
一方、近年、デジタルカメラやカメラ付携帯電話が普及し、撮影した写真を画像データの形式で記憶し利用する機会が増えている。このような画像データは、通常、パーソナルコンピュータ（以下、「ＰＣ」という。）や携帯電話機のディスプレイに表示させて閲覧すること、プリンタによって紙に印刷して閲覧することが一般的である。
【００１３】
また、ＰＣやプリンタなどの出力装置を使うためには、ある程度のコンピュータに関する知識が必要となり、より簡易に日常生活の中で自然に写真を閲覧できるものとして、デジタルフォトフレームが普及しつつある。
【００１４】
デジタルフォトフレームは、画像データを記憶した着脱可能なメモリデバイス（以下、「メモリ」ともいう。）を装着して、当該記憶された画像データに基づく画像を平面ディスプレイ上にスライドショー表示する写真立て型の装置である。
【００１５】
そして、写真などの画像データは、インターネットなどのネットワーク経由で流通させることが可能であるため、デジタルフォトフレームの中には、サーバ装置に記憶された画像データをインターネット経由で当該デジタルフォトフレーム内にダウンロードして平面ディスプレイ上に表示させるものも提案されている（例えば、特許文献１、２）。
【先行技術文献】
【特許文献】
【００１６】
【特許文献１】特開２００３−１６９７３４号公報
【特許文献２】国際公開公報ＷＯ０１／４２９５３Ａ２
【発明の概要】
【発明が解決しようとする課題】
【００１７】
上述のＳＩＭカードに電話番号登録方法にあっては、ＳＩＭカードの購入時やキャリアと呼ばれる通信事業者を変更する場合または携帯用通信端末装置の機種を変更する場合に、携帯用通信端末装置を使用するユーザは、通信事業者と電話番号を予め定め、書面や電話などにより所定の手続きを行う必要がある、または、予め定められた電話番号に従ってこれらの手続きを行う必要がある。
【００１８】
特に、この所定の手続きには、ユーザの本人確認や住所の登録などの種々の情報の確認が含まれるので、この作業が煩雑で、かつ、当該電話番号の登録を行うまでに所定の時間が必要となっている。
【００１９】
このため、音楽データや画像データの再生またはゲームの実行など特定のデータを受信して携帯用通信端末装置に備わる特定の機能を使用するサービス（携帯用通信端末装置の通信機能に基づいて実行される付加サービス）を実行する場合には、上記の電話番号の登録に関する手続きに加えてさらにサービスを管理するサーバ装置への登録などの当該付加サービスの提供を受けるための種々の初期手続きが必要となる。
【００２０】
特に、上記特許文献１または２に記載されるデジタルフレームなどのデータ通信サービス用の端末装置など通話機能その他の機能を省略し、当該付加サービスに関する機能のみに特化している場合であっても、携帯電話機と同様の通信システムを搭載している限り、上記の電話番号の登録に関する特有の登録時の手続きを行わなければならない。
【００２１】
すなわち、付加サービスに特化した機能を有する携帯用通信端末装置の使用開始時においても、上述の煩雑な作業を省略することができず、他の電化製品などの購入後に煩雑な手続きが不要で迅速に使用可能状態となる携帯用通信端末装置以外の商品に比べて容易に購入させることおよび販売店に対して容易に販売させることが難しい。
【００２２】
本発明は、上記課題を解決するためになされたものであり、その目的は、電話番号などの通信に用いられる識別情報が登録されれば、特定のサービスの提供を受けるための登録作業を含め、通信を開始するための各種の煩雑な登録作業が不要となるので、容易に購入可能で、かつ、容易に販売可能な携帯用通信端末装置に対して当該サービスを実行可能なサービスを実現させることができる通信管理サーバ装置及び当該携帯用通信端末装置の認証方法を提供することにある。
【課題を解決するための手段】
【００２３】
上記課題を解決するため、請求項１に記載の発明は、通信に用いるための通信識別情報を保持するモジュールを備え、当該モジュールと協働し、当該通信識別情報に基づいて通信を行う携帯用通信端末装置に対して、通信の管理を行う通信管理サーバ装置において、協働して通信を行う携帯用通信端末装置を他の携帯用通信端末装置と識別するための端末識別情報および当該モジュールを他のモジュールと識別するためのモジュール識別情報が前記モジュールに記録されており、前記端末識別情報および前記モジュール識別情報に基づいて前記通信の管理を開始するための処理を実行する通信管理サーバ装置であって、前記通信識別情報の利用登録を管理する登録管理サーバ装置によって提供されたモジュール識別情報が予め記録されているとともに、各モジュール識別情報毎に前記登録管理サーバ装置から提供された複数の通信識別情報が対応づけられて記録されている第１データベースと、複数の前記端末識別情報が予め記録されている第２データベースと、を備え、前記携帯用通信端末装置が前記登録管理サーバ装置と通信を行うことによって当該携帯用通信端末装置に組み込まれた前記モジュールに新規に一の前記通信識別情報が自動に登録されたときに、前記携帯用通信端末装置から送信された端末識別情報、通信識別情報およびモジュール識別情報を受信する受信手段と、前記受信されたモジュール識別情報および通信識別情報が前記第１データベースに記憶されているモジュール識別情報と当該記憶されているモジュール識別情報に関連づけて記憶されている通信識別情報とに一致し、かつ、前記受信された端末識別情報が前記第２データベースに記憶されている一の端末装置識別情報と一致した場合に、アクセス情報を発行する発行手段と、前記発行されたアクセス情報を前記携帯用通信端末装置に提供する提供手段と、前記提供されたアクセス情報を取得する取得手段と、前記アクセス情報が所定の条件の下に取得された場合に、前記携帯用通信端末装置の通信の管理を開始する管理制御手段と、を有する構成をしている。
【００２４】
この構成により、請求項１に記載の発明は、携帯用通信端末装置に電話番号などの通信識別情報が自動登録されれば、携帯用通信端末装置から送信された端末識別情報、通信識別情報およびモジュール識別情報を受信してアクセス情報を生成することができるとともに、このように生成されたアクセス情報を所定の条件下にて受信すれば、携帯用通信端末装置の通信の管理を開始することができる。
【００２５】
通常、音楽データや画像データの再生またはゲームの実行など特定のデータを受信して携帯用通信端末装置に備わる特定の機能を使用するサービス（すなわち、携帯用通信端末装置の通信機能に基づいた付加サービス）であって、当該携帯用通信端末装置の機能においても当該サービスに特化している場合であっても、携帯電話機などの他の通信装置と同様に、携帯用通信端末装置の登録や本人確認の手続きを行う必要がある。
【００２６】
しかしながら、請求項１に記載の発明は、携帯用通信端末装置に電話番号などの通信識別情報が自動登録されれば、所定の手続きを行うことなく、当該携帯用通信端末装置との通信管理を行う通信管理サーバ装置への登録、すなわち、通信管理サーバ装置が提供するサービスへの登録が可能となり、サービスを開始する際に煩雑な手続きを省略することができる。
【００２７】
したがって、請求項１に記載の発明は、容易に購入可能で、かつ、容易に販売可能な携帯用通信端末装置に対して実行可能なサービスを実現させることができる。
【００２８】
また、請求項２に記載の発明は、請求項１に記載の通信管理サーバ装置において、前記取得手段が、前記携帯用通信端末装置から送信された端末識別情報、通信識別情報およびモジュール識別情報を受信する際に確立された通信回線とは異なる通信回線よって前記提供されたアクセス情報を取得する構成を有している。
【００２９】
この構成により、請求項２に記載の発明は、携帯用通信端末装置の近傍に操作することができる操作者が存在しない場合であっても、当該携帯用通信端末装置の近傍に存在する個人からの連絡その他の方法によってアクセス情報を取得することができれば、操作者が当該携帯用通信端末装置の遠方に存在する場合であっても、この携帯用通信端末装置を通信管理サーバ装置が提供するサービスに登録することが可能となる。
【００３０】
したがって、請求項２に記載の発明は、サービスを開始する際に煩雑な手続きを省略することができるので、当該携帯用通信端末装置を実際に使用するユーザにおけるサービスへの登録手続や操作の煩雑性を解消し、すなわち、実際に使用するユーザにおけるサービスへの登録手続きおよびそれに関する操作を不要にすることができるので、容易に購入可能で、かつ、容易に販売可能な携帯用通信端末装置に対して実行可能なサービスを実現させることができる。
【００３１】
また、請求項３に記載の発明は、請求項１または２に記載の通信管理サーバ装置において、前記通信識別情報が、公衆電話網回線にて使用される電話番号である構成を有している。
【００３２】
この構成により、請求項３に記載の発明は、携帯用通信端末装置を公衆電話網回線にて使用することができるので、汎用性が高く、ユーザにおける利便性を向上させることができる。
【００３３】
また、請求項４に記載の発明は、請求項１乃至３のいずれか一項に記載の通信管理サーバ装置において、前記管理制御手段が、前記アクセス情報が発行されてから所定の期間内に取得された場合に前記携帯用通信端末装置との通信の管理を開始する構成を有している。
【００３４】
この構成により、請求項４に記載の発明は、アクセス情報が発行されてから所定の期間内にアクセス情報が取得されなければ、通信管理サーバ装置が提供するサービスへの登録が成立しないので、携帯用通信端末装置の誤認証や登録のミスを排除し、的確に携帯用通信端末装置のサービスへの登録を行うことができる。
【００３５】
また、請求項５に記載の発明は、請求項１乃至４のいずれか一項に記載の通信管理サーバ装置において、前記第１データベースおよび前記第２データベースの少なくともいずれか一のデータベースが、前記通信管理サーバ装置が配設されている場所とは離隔された場所に配設されている構成を有している。
【００３６】
この構成により、請求項５に記載の発明は、ネットワークを介して相互にデータベースと各部材が通信可能であれば、各処理を実施することができるので、データベースと各部材を同一の場所に配設することによって生ずる困難性を排除することができる。
【００３７】
また、請求項６に記載の発明は、通信に用いるための通信識別情報を保持するモジュールを備え、当該モジュールと協働し、当該通信識別情報に基づいて通信を行う携帯用通信端末装置に対して、通信の管理を行う際の認証方法において、前記携帯用通信端末装置が登録管理サーバ装置と通信を行うことによって、当該携帯用通信端末装置に組み込まれた前記モジュールに新規に一の前記通信識別情報を自動登録する登録処理と、前記登録処理の終了後に、前記携帯用通信端末装置が通信管理サーバ装置と通信を行うことによって、前記モジュールに記録された前記携帯用通信端末装置を他の携帯用通信端末装置と識別するための端末識別情報および当該モジュールを他のモジュールと識別するためのモジュール識別情報と、前記通信識別情報と、に基づいて認証を行い、当該認証後に前記携帯電話装置の通信の管理を開始する開始処理と、を含み、前記開始処理を行う際に、前記携帯用通信端末装置から送信されたモジュール識別情報および通信識別情報と、第１データベースに記録されている、前記通信識別情報の利用登録を管理する登録管理サーバ装置によって提供されたモジュール識別情報および通信識別情報と、を照合する第１照合処理と、前記携帯用通信端末装置から送信された端末識別情報と、第１データベースに記録されている複数の端末識別情報と、を照合する第２照合処理と、前記携帯用通信端末装置から送信されたモジュール識別情報および通信識別情報が前記第１データベースに記憶されているモジュール識別情報と当該記憶されているモジュール識別情報とに関連づけて記憶されている通信識別情報とに一致し、かつ、前記携帯用通信端末装置から送信された端末識別情報が前記第２データベースに記憶されている一の端末装置識別情報と一致した場合に、アクセス情報を発行する発行処理と、前記発行されたアクセス情報を前記携帯用通信端末装置に提供する提供処理と、前記提供されたアクセス情報を受信する送受信処理と、前記アクセス情報を所定の条件にて受信したか否かを判定して前記携帯用通信端末装置の認証を行う認証処理と、を含む構成を有している。
【００３８】
この構成により、請求項６に記載の発明は、携帯用通信端末装置に電話番号などの通信識別情報が自動登録されれば、携帯用通信端末装置から送信された端末識別情報、通信識別情報およびモジュール識別情報を受信してアクセス情報を生成することができるとともに、このように生成されたアクセス情報を所定の条件下にて受信すれば、携帯用通信端末装置の通信の管理を開始することができる。
【００３９】
したがって、請求項６に記載の発明は、携帯用通信端末装置に電話番号などの通信識別情報が自動登録されれば、所定の手続きを行うことなく、当該携帯用通信端末装置との通信管理を行う通信管理サーバ装置への登録、すなわち、通信管理サーバ装置が提供するサービスへの登録が可能となり、サービスを開始する際に煩雑な手続きを省略することができる。
【００４０】
この結果、請求項６に記載の発明は、容易に購入可能で、かつ、容易に販売可能な携帯用通信端末装置に対して実行可能なサービスを実現させることができる。
【発明の効果】
【００４１】
本発明は、携帯用通信端末装置に電話番号などの通信識別情報が自動登録されれば、所定の手続きを行うことなく、当該携帯用通信端末装置との通信管理を行う通信管理サーバ装置への登録が可能となり、サービスを開始する際に煩雑な手続きを省略することができるので、容易に購入可能で、かつ、容易に販売可能な携帯用通信端末装置に対して実行可能なサービスを実現させることができる。
【図面の簡単な説明】
【００４２】
【図１】本発明に係るデータ配信システムの一実施形態における概略構成を示すブロック図である。
【図２】一実施形態のデジタルフォトフレームにおける構成を示すブロック図である。
【図３】一実施形態の通信管理サーバ装置における構成を示すブロック図である。
【図４】一実施形態の登録管理サーバ装置における構成を示すブロック図である。
【図５】一実施形態のデータ配信システムの画像データ提供サービスにおけるデジタルフォトフレームの登録処理およびそれに伴う認証処理のシーケンス図（Ｉ）である。
【図６】一実施形態のデータ配信システムの画像データ提供サービスにおけるデジタルフォトフレームの登録処理およびそれに伴う認証処理のシーケンス図（ＩＩ）である。
【発明を実施するための形態】
【００４３】
以下、本願の実施形態について、図面を参照しながら説明する。
【００４４】
なお、以下に説明する実施形態は、画像データを表示する通信機能付きデジタルフォトフレーム、そのデータ通信を管理する通信管理サーバ装置およびデジタルフォトフレームの公衆電話網回線への登録その他の管理を行う登録管理サーバ装置からなるデータ配信システムに、本発明に係る通信管理サーバ装置および認証方法を適用した場合の実施形態である。
【００４５】
また、本実施形態において用いられるＳＩＭカードとは、移動パケット通信網及び公衆電話網において、加入者（すなわち、電話機など当該移動パケット通信網を含む公衆電話網回線に接続される通信端末装置）の識別を行うための情報（例えば、電話番号）が記録された加入者識別モジュールカードであって、当該電話番号とともに、他のＳＩＭカードと識別するための識別情報（以下、「モジュール識別情報」という。）が記録されたものをいう。
【００４６】
まず、図１を用いて本実施形態のデータ配信システムの構成および当該データ配信システムを構成する各装置の概略動作について説明する。
【００４７】
なお、図１は、本実施形態のデータ配信システムの構成を示すブロック図である。
【００４８】
本実施形態のデータ配信システムＳは、図１に示すように、写真などの画像データを提供する携帯電話機ＭＴまたはパーソナルコンピュータＰＣなど複数の通信端末装置と、提供された画像データを表示する複数のデジタルフォトフレーム１００と、任意の場所に固定設置され、当該デジタルフォトフレーム１００に提供される画像データその他の通信管理を行う通信管理サーバ装置２００と、任意の場所に固定設置され、各デジタルフォトフレーム１００の公衆電話網回線への登録その他の管理を行う登録管理サーバ装置３００と、から構成される。
【００４９】
本実施形態の各デジタルフォトフレーム１００は、通信回線を介して受信した画像データまたは着脱可能に装着された外部メモリＭ１から読み出された画像データを所定の表示エリアＡに表示する機能を有している。
【００５０】
また、この各デジタルフォトフレーム１００は、着脱可能に装着されたＳＩＭカードＭ２に記録された電話番号情報とモジュール識別情報に基づいて通信管理サーバ装置２００、登録管理サーバ装置３００または通信端末装置との通信を行う通信機能を有している。
【００５１】
特に、このデジタルフォトフレーム１００は、インターネット回線および移動パケット通信網から構成されるネットワークＮに基地局ＢＳを介して接続され、通信管理サーバ装置２００および登録管理サーバ装置３００と通信回線を確立するようになっている。
【００５２】
具体的には、このデジタルフォトフレーム１００は、ＳＩＭカードＭ２が新規の場合にまたはＳＩＭカードＭ２の変更が為された場合に、ＳＩＭカードＭ２に記録されているモジュール識別情報に基づいて、移動パケット通信網および図示しない公衆電話網回線にて用いられる電話番号情報の取得及び当該デジタルフォトフレーム１００の公衆電話網回線への登録を行うようになっており、登録管理サーバ装置３００と、種々のデータ通信を行うようになっている。
【００５３】
また、このデジタルフォトフレーム１００は、公衆電話網回線への登録後に、当該デジタルフォトフレーム１００の通信管理サーバ装置２００が提供するサービス（以下、「画像データ提供サービス」という。）に登録する場合に、通信管理サーバ装置２００と所定のデータの授受を行うようになっている。
【００５４】
そして、このデジタルフォトフレーム１００は、通信管理サーバ装置２００の管理の下、通信端末装置から提供された画像データを受信して表示すること、所定のＷｅｂサイトで提供されている写真データ（画像データ）群のアルバムサービスと連動して当該写真データを受信して表示すること、表示している画像データを、所定のＷｅｂサイトにて提供されるプリントサービスと連動することを実行できるように構成されている。
【００５５】
本実施形態の通信管理サーバ装置２００は、ネットワークＮに接続され、画像データをデジタルフォトフレーム１００に提供する際の種々のデータ通信の管理、すなわち、デジタルフォトフレーム１００が画像データを表示するための、または、その画像データを用いてデジタルフォトフレーム１００のユーザにおいて各種のサービスの提供を受けさせるためのデータ通信の管理を行うようになっている。
【００５６】
特に、本実施形態の通信管理サーバ装置２００は、各デジタルフォトフレーム１００の画像データ提供サービスへの登録時に、デジタルフォトフレーム１００が有するシリアル番号の情報（以下、「シリアル番号情報」という。）と当該デジタルフォトフレーム１００に装着されたＳＩＭカードＭ２に記録されている電話番号情報に基づいて当該各デジタルフォトフレーム１００の機器としての認証を行い、上述の各種の通信管理を開始するための各種の処理を行うようになっている。
【００５７】
本実施形態の登録管理サーバ装置３００は、ネットワークＮに接続され、デジタルフォトフレーム１００の通信機能に関する各種の登録を行うための種々の処理を行うようになっている。
【００５８】
特に、この登録管理サーバ装置３００は、デジタルフォトフレーム１００に装着されたＳＩＭカードＭ２のモジュール識別情報に基づいて当該デジタルフォトフレーム１００における電話番号を決定し、当該決定された電話番号がＳＩＭカードＭ２に記録されるようにデジタルフォトフレーム１００に提供するようになっている。
【００５９】
なお、本実施形態においては、この電話番号を決定し、ＳＩＭカードＭ２情報に当該決定された電話番号を電話番号情報として決定することを公衆電話網回線への登録という。
【００６０】
次に、図２を用いて本実施形態におけるフォトフレームの構成について説明する。なお、図２は、本実施形態におけるフォトフレームの構成を示す構成図である。
【００６１】
本実施形態のデジタルフォトフレーム１００は、図２に示すように、アンテナＡＴを介して他の通信端末装置、通信管理サーバ装置２００または登録管理サーバ装置３００との通信を行う端末装置用通信制御部１１０と、フラッシュメモリなど画像データが格納された外部メモリＭ１を着脱可能に装着するメモリインターフェース１２０と、ＳＩＭカードＭ２を着脱可能に装着するＳＩＭカードインターフェース１３０と、画像データの再生を行うデータ再生部１４０と、を備えている。
【００６２】
また、本実施形態のデジタルフォトフレーム１００は、画像データの表示の他に、各種の制御のための表示を行う表示部１５０と、各部を制御する端末装置用制御部１６０と、各部を制御する際に用いられるＲＯＭ／ＲＡＭ１７０と、各種の操作を行う際に用いられる操作部１８０と、を備えている。
【００６３】
端末装置用通信制御部１１０は、図示しないアンテナを介してネットワークＮに接続するようになっており、端末装置用制御部１６０の制御の下、他の通信端末装置、通信管理サーバ装置２００または登録管理サーバ装置３００との通信制御を行うようになっている。
【００６４】
特に、本実施形態の端末装置用通信制御部１１０は、通信端末装置から提供された画像データを、通信管理サーバ装置２００を介して受信するようになっており、受信した画像データをデータ再生部１４０に出力するようになっている。
【００６５】
メモリインターフェース１２０は、外部メモリＭ１がデジタルフォトフレーム１００に装着された際に、装着された物理的に接続されるようになっており、端末装置用制御部１６０の制御の下、装着された外部メモリＭ１に格納されている画像データをデータ再生部１４０に出力するための種々の機能を有している。
【００６６】
なお、装着される外部メモリＭ１は、例えば、ＵＳＢ（Ｕｎｉｖｅｒｓａｌ  Ｓｅｒｉａｌ  Ｂｕｓ）メモリやＳＤメモリカード（ＳＤ  Ｍｅｍｏｒｙ  Ｃａｒｄ（登録商標））などのフラッシュメモリにて構成される。
【００６７】
ＳＩＭカードインターフェース１３０は、ＳＩＭカードＭ２がデジタルフォトフレーム１００に装着された際に、装着されたＳＩＭカードＭ２と物理的に接続されるようになっており、端末装置用制御部１６０の制御の下、ＳＩＭカードＭ２が新規の場合にまたはＳＩＭカードＭ２の変更が為された場合に、予め記録されているモジュール識別情報に基づいて、公衆電話網回線にて用いられる電話番号情報を取得して当該ＳＩＭカードＭ２に記録するようになっている。
【００６８】
また、このＳＩＭカードインターフェース１３０は、画像データ提供サービスに登録する際に、すなわち、デジタルフォトフレーム１００の認証時に、ＳＩＭカードＭ２に記録された電話番号情報およびモジュール識別情報を読み出して出力するようになっている。
【００６９】
データ再生部１４０は、ＪＰＥＧ（Ｊｏｉｎｔ  Ｐｈｏｔｏｇｒａｐｈｉｃ  Ｅｘｐｅｒｔｓ  Ｇｒｏｕｐ）形式など画像データをデコードし、表示部１５０に出力するようになっている。
【００７０】
また、このデータ再生部１４０は、複数の画像データを一定の時間間隔毎に切り替えて表示するスライドショー表示の制御、操作部１８０と連動して所定の画像データを表示するマニュアル表示制御などの各種の表示制御を行うようになっている。
【００７１】
表示部１５０は、液晶素子またはＥＬ（Ｅｌｅｃｔｒｏ  Ｌｕｍｉｎｅｓｃｅｎｃｅ）素子によって構成され、データ再生部１４０にて生成された表示データまたは端末装置用制御部１６０にて生成された各種の制御用の表示データに基づいて所定の画像を表示するようになっている。
【００７２】
端末装置用制御部１６０は、主に中央演算処理装置（ＣＰＵ）によって構成されるとともに、バスＢによって各部と接続されており、デジタルフォトフレーム１００の全般的な機能を総括的に制御するようになっている。
【００７３】
具体的には、この端末装置用制御部１６０は、画像データの表示部１５０への表示機能、通信機能などのデジタルフォトフレーム１００全体の動作を制御する際に、ＲＯＭ／ＲＡＭ１７０に格納される制御プログラムを読み出して各処理を実行し、当該ＲＯＭ／ＲＡＭ１７０に処理中のデータを一時的に保持するようになっている。
【００７４】
ＲＯＭ／ＲＡＭ１７０は、端末装置用制御部１６０と連動して上記の動作を行う他に、その内部には、シリアル番号の情報が記録されている。
【００７５】
操作部１８０は、各操作指令を入力する操作ボタンなど、デジタルフォトフレーム１００の機能に特化した複数のキーにより構成され、所定のサービスを受けるための種々の操作を行う際に用いられるようになっている。
【００７６】
次に、図３を用いて本実施形態のおける通信管理サーバ装置２００の構成について説明する。なお、図３は、本実施形態における通信管理サーバ装置２００の構成を示す構成図である。
【００７７】
本実施形態の通信管理サーバ装置２００は、図３に示すように、ネットワークＮを介してデジタルフォトフレーム１００および登録管理サーバ装置３００とデータ通信を行う通信管理サーバ用通信制御部２１０と、登録管理サーバ装置３００と連動してデジタルフォトフレーム１００に付与される電話番号が記録されている通信管理用第１データベース２２０と、デジタルフォトフレーム１００のシリアル番号が記録された通信管理用第２データベース２３０と、を備えている。
【００７８】
また、この通信管理サーバ装置２００は、デジタルフォトフレーム１００を当該通信管理サーバ装置２００に登録するために必要なアクセス情報の発行を行うアクセス情報発行部２４０と、デジタルフォトフレーム１００の通信管理を行う通信管理部２５０と、各部の制御を行う通信管理サーバ用システム制御部２６０と、から構成されている。
【００７９】
なお、例えば、本実施形態の通信管理サーバ用通信制御部２１０は、本発明の受信手段、提供手段および取得手段を構成し、通信管理用第１データベース２２０および通信管理用第２データベース２３０は、本発明の第１データベースおよび第２データベースを構成する。
【００８０】
また、例えば、本実施形態のアクセス情報発行部２４０は、本発明の発行手段および提供手段を構成し、通信管理部２５０は、本発明の管理制御手段を構成する。
【００８１】
通信管理サーバ用通信制御部２１０は、ネットワークＮに接続されるようになっており、通信管理サーバ用システム制御部２６０の制御の下、デジタルフォトフレーム１００との通信回線を確立し、当該デジタルフォトフレーム１００に表示するための画像データの配信を行う画像データ提供サービスへの登録、および、当該画像データの配信に関する通信制御を行うようになっている。
【００８２】
具体的には、この通信管理サーバ用通信制御部２１０は、デジタルフォトフレーム１００の公衆電話網回線への登録が終了した際に、デジタルフォトフレーム１００から送信されたシリアル番号情報、電話番号情報およびモジュール識別情報を受信するようになっている。
【００８３】
また、この通信管理サーバ用通信制御部２１０は、後述するアクセス情報のデジタルフォトフレーム１００への送信およびデジタルフォトフレーム１００からの受信を行うようになっている。
【００８４】
通信管理用第１データベース２２０には、登録管理サーバ装置３００によって提供されたモジュール識別情報が予め記録されているとともに、各モジュール識別情報毎に登録管理サーバ装置３００から提供された複数の電話番号情報が対応づけられて記録されている。
【００８５】
また、この通信管理用第１データベース２２０は、アクセス情報を発行する際に、アクセス情報発行部２４０によって検索されるようになっている。
【００８６】
なお、モジュール識別情報および電話番号情報は、図示しないユーザインターフェースなどの各種の手段によって手動により記録されてもよいし、ネットワークＮを介して登録管理用サーバ装置と連動して自動的に登録されてもよい。
【００８７】
通信管理用第２データベース２３０には、複数のシリアル番号情報が予め記録されている。また、この通信管理用第２データベース２３０は、通信管理用第１データベース２２０と同様に、アクセス情報を発行する際に、アクセス情報発行部２４０によって検索されるようになっている。
【００８８】
アクセス情報発行部２４０は、画像データ提供サービスのデジタルフォトフレーム１００の登録を行う際に、受信した各種の識別情報が通信管理用第１および第２データベースに記録されている各種の情報と一致するか否かを判断し、受信した各種の識別情報が記録されている各種の情報と一致した場合には、当該画像データ提供サービスの登録を確認するために用いられるアクセス情報を発行して、通信管理サーバ装置２００を介して当該画像データ提供サービスの登録を要求したデジタルフォトフレーム１００に送信するようになっている。
【００８９】
具体的には、アクセス情報発行部２４０は、受信されたモジュール識別情報および電話番号情報が通信管理用第１データベース２２０に記憶されているモジュール識別情報と当該記憶されているモジュール識別情報に対応づけて記憶されている電話番号情報とに一致するかどうか判断するようになっている。
【００９０】
また、このアクセス情報発行部２４０は、受信されたシリアル番号情報が通信管理用第２データベース２３０に記憶されている複数のシリアル番号情報の何れかと一致するかどうかを判断するようになっている。
【００９１】
そして、このアクセス情報発行部２４０は、受信されたモジュール識別情報、電話番号情報およびシリアル番号情報のすべてが通信管理用第１データベース２２０および通信管理用第２データベース２３０に記録されている各種のデータと一致した場合に、ランダムに発生させた英数字からなるアクセス情報を発行し、当該発行したアクセス情報をデジタルフォトフレーム１００に送信するようになっている。
【００９２】
なお、本実施形態のアクセス情報は、デジタルフォトフレーム１００に一定期間、表示されるようになっている。
【００９３】
通信管理部２５０は、アクセス情報発行部２４０において発行されたアクセス情報と一致する情報を一定期間内に通信管理サーバ用通信制御部２１０にて受信されたことを認識した際には、アクセス情報を送信したデジタルフォトフレーム１００の画像データ提供サービスへの登録を行うようになっている。
【００９４】
具体的には、通信管理部２５０は、アクセス情報が発行されたデジタルフォトフレーム１００の電話番号情報およびシリアル番号情報に対応づけたＥメールアドレスを発行し、当該Ｅメールアドレスの情報（Ｅメールアドレス情報）と電話番号情報およびシリアル番号情報を対応づけて通信管理用第２データベース２３０に記録するようになっている。
【００９５】
なお、本実施形態の通信管理サーバ装置２００は、通信管理用第２データベース２３０に記録されたＥメールアドレスにて送信された画像データを受信することができるようになっている。
【００９６】
そして、この通信管理サーバ装置２００は、登録されたＥメールに基づいて画像データを受信した場合には、当該受信した画像データをリサイズして一時的に所定の場所に格納し、登録管理サーバ装置３００に電話番号情報に基づいて画像データをデジタルフォトフレーム１００に受信させる旨を通知するようになっている。
【００９７】
また、登録管理サーバ装置３００が受信した電話番号情報に基づいてデジタルフォトフレーム１００に画像データの取得を指示し、かつ、デジタルフォトフレーム１００が、ＨＴＴＰ（ＨｙｐｅｒＴｅｘｔ  Ｔｒａｎｓｆｅｒ  Ｐｒｏｔｏｃｏｌ）リクエストとしてシリアル番号とともに画像データの送信を要求すると、本実施形態の通信管理サーバ装置２００は、一時的に格納された画像データをＨＴＴＰレスポンスとしてデジタルフォトフレーム１００に送信するようになっている。
【００９８】
さらに、画像データを受信したデジタルフォトフレーム１００は、当該画像データを再生して所定の表示エリアＡに表示するようになっている。
【００９９】
通信管理サーバ用システム制御部２６０は、例えば、ＣＰＵ、ＲＯＭ、ＲＡＭおよびハードディスクを有し、通信管理サーバ装置２００の各部を制御するようになっている。
【０１００】
特に、ＲＯＭには、通信管理サーバ装置２００の各部を制御するための各種制御情報が記録されると共に、ハードディスクには、制御プログラムやＯＳ（Ｏｐｅｒａｔｉｎｇ  Ｓｙｓｔｅｍ）などの各種プログラムが記録されている。
【０１０１】
また、ＣＰＵは、ハードディスクに記録されたプログラムを実行することにより、各種の処理を実行し、ＲＡＭはワークエリアとして用いられるようになっている。
【０１０２】
次に、図４を用いて本実施形態のおける登録管理サーバ装置３００の構成について説明する。なお、図４は、本実施形態における登録管理サーバ装置３００の構成を示す構成図である。
【０１０３】
本実施形態のサーバ装置は、図４に示すように、ネットワークＮを介してデジタルフォトフレーム１００および通信管理サーバ装置２００とデータ通信を行う登録管理サーバ用通信制御部３１０と、各デジタルフォトフレーム１００における登録された電話番号その他のデータが記録されている登録管理用データベース３２０と、各デジタルフォトフレーム１００に一の電話番号を付与する電話番号登録部３３０と、各部の制御を行う登録管理サーバ用システム制御部３４０と、から構成されている。
【０１０４】
登録管理サーバ用通信制御部３１０は、ネットワークＮに接続されるようになっており、登録管理サーバ用システム制御部３４０の制御の下、デジタルフォトフレーム１００または通信管理サーバ装置２００との通信回線を確立し、各種の通信制御を行うようになっている。
【０１０５】
特に、本実施形態の登録管理サーバ用通信制御部３１０は、後述するように、デジタルフォトフレーム１００から送信されたモジュール識別情報に基づいて決定された電話番号情報をデジタルフォトフレーム１００に送信するようになっている。
【０１０６】
登録管理用データベース３２０には、複数のモジュール識別情報と、各モジュール識別情報に対応づけてデジタルフォトフレーム１００に付与すべき電話番号を示す複数の電話番号情報が記録されている。
【０１０７】
また、この登録管理データベースには、一の電話番号を定めた後の各デジタルフォトフレーム１００のモジュール識別情報と対応する電話番号情報が記録されるようになっている。
【０１０８】
電話番号登録部３３０は、新規にＳＩＭカードＭ２がデジタルフォトフレーム１００に装着された際に、または、電話番号情報が書き換わったＳＩＭカードＭ２がデジタルフォトフレーム１００に装着された際に送信されたモジュール識別情報に基づいて、登録管理用データベース３２０に記録されている複数の電話番号情報からランダムに一の電話番号情報を決定するようになっている。
【０１０９】
そして、この電話番号登録部３３０は、決定された電話番号情報を、ＳＩＭカードＭ２に記録するように、デジタルフォトフレーム１００に登録管理サーバ用通信制御部３１０を介して送信するようになっている。
【０１１０】
また、この電話番号登録部３３０は、決定された電話番号情報と当該電話番号を決定する際に用いたモジュール識別情報とを対応づけて登録管理用データベース３２０に記録するようになっている。
【０１１１】
なお、通信管理サーバ装置２００から送信された画像データをデジタルフォトフレーム１００に受信させる旨を受信すると、本実施形態の登録管理サーバ装置３００は、上述のように、この旨とともに受信した電話番号情報に示される電話番号を使用してデジタルフォトフレーム１００に画像データの取得を指示するようになっている。
【０１１２】
例えば、本実施形態の登録管理サーバ装置３００は、ライトメールと呼ばれる電話番号にてデータの送受信を行うメールを用いて当該指示を行うようになっている。
【０１１３】
登録管理サーバ用システム制御部３４０は、例えば、ＣＰＵ、ＲＯＭ、ＲＡＭおよびハードディスクを有し、通信管理サーバ装置２００の各部を制御するようになっている。
【０１１４】
特に、ＲＯＭには、通信管理サーバ装置２００の各部を制御するための各種制御情報が記録されると共に、ハードディスクには、制御プログラムやＯＳ（Ｏｐｅｒａｔｉｎｇ  Ｓｙｓｔｅｍ）などの各種プログラムが記録されている。
【０１１５】
また、ＣＰＵは、ハードディスクに記録されたプログラムを実行することにより、各種の処理を実行し、ＲＡＭはワークエリアとして用いられるようになっている。
【０１１６】
次に、図５および図６を用いて本実施形態のデータ配信システムＳにおける画像データ提供サービスにおけるデジタルフォトフレーム１００の認証処理およびそれに伴う登録処理の動作について説明する。
【０１１７】
なお、図５および図６は、本実施形態のデータ配信システムＳにおける画像データ提供サービスにおけるデジタルフォトフレーム１００の登録処理およびそれに伴う認証処理を示すシーケンス図である。
【０１１８】
なお、各デジタルフォトフレーム１００は、予め新規のＳＩＭカードＭ２が装着されて市場に流通しており、すなわち、任意の販売店にて販売されており、本動作においては、電源投入前には、電源プラグのコンセントへの入力または電池などのバッテリーの装着以外は、製品完成時の状態にて使用されるものとし、ＳＩＭカードＭ２には、電話番号情報が未だ書き込まれていないものとする。
【０１１９】
また、本動作においては、登録管理用データベース３２０には、流通しているデジタルフォトフレーム１００に装着された各ＳＩＭカードＭ２のモジュール識別情報と、各モジュール識別情報に対応づけて複数の電話番号情報が記録されているものとする。
【０１２０】
さらに、本動作においては、通信管理用第１データベース２２０には、予め流通しているデジタルフォトフレーム１００の流通しているデジタルフォトフレーム１００に装着された各ＳＩＭカードＭ２のモジュール識別情報と、各モジュール識別情報に対応づけて複数の電話番号情報が記録されているものとする。
【０１２１】
そして、通信管理用第２データベースには、予め流通しているデジタルフォトフレーム１００のシリアル番号情報が記録されているものとする。
【０１２２】
まず、デジタルフォトフレーム１００において、ユーザによってデジタルフォトフレーム１００の電源が投入されると（ステップＳ１０１）、端末装置用制御部１６０は、装置用通信制御部に登録管理サーバ装置３００との通信回線を確立させる（ステップＳ１０２）。
【０１２３】
次いで、端末装置用制御部１６０は、ＳＩＭカードインターフェース１３０を介してＳＩＭカードＭ２からモジュール識別情報を読み出し、当該読み出したモジュール識別情報を端末装置用通信制御部１１０を介して登録管理サーバ装置３００に送信する（ステップＳ１０３）。
【０１２４】
次いで、登録管理サーバ装置３００において、デジタルフォトフレーム１００から電源が投入された旨が通知されると、登録管理サーバ用通信制御部３１０は、当該デジタルフォトフレーム１００との通信回線を確立する（ステップＳ３０１）。
【０１２５】
次いで、登録管理サーバ用通信制御部３１０が、このデジタルフォトフレーム１００から送信されたモジュール識別情報を受信すると、登録管理サーバ用システム制御部３４０は、電話番号登録部３３０に登録管理用データベース３２０に記録されているモジュール識別情報を検索させる（ステップＳ３０２）。
【０１２６】
次いで、電話番号登録部３３０は、当該受信したモジュール識別情報と一致するモジュール識別情報に対応づけて記録されている複数の電話番号情報の中から、一の電話番号情報をランダムに決定する（ステップＳ３０３）。
【０１２７】
次いで、電話番号登録部３３０は、受信したモジュール識別情報と決定した電話番号情報を対応づけて新たに登録管理用データベース３２０に記録するとともに（ステップＳ３０４）、登録管理サーバ用通信制御部３１０を介して決定した電話番号情報をデジタルフォトフレーム１００に送信する（ステップＳ３０５）。
【０１２８】
なお、この後に、登録管理サーバ用システム制御部３４０は、デジタルフォトフレーム１００との通信回線を遮断し（ステップＳ３０６）、その動作を終了させる。
【０１２９】
次いで、デジタルフォトフレーム１００おいて、端末装置用通信制御部１１０が電話番号情報を受信すると、端末装置用制御部１６０は、ＳＩＭカードインターフェース１３０を介してＳＩＭカードＭ２に受信した電話番号情報を書き込み（ステップＳ１０４）、端末装置用通信制御部１１０に登録管理サーバ装置３００との通信回線を遮断させる（ステップＳ１０５）。
【０１３０】
次いで、端末装置用制御部１６０は、端末装置用通信制御部１１０に通信管理サーバ装置２００との通信回線を確立させ（ステップＳ１０６）、モジュール識別情報およびシリアル番号情報を読み出して、書き込まれた電話番号情報とともに、読み出したモジュール識別情報およびシリアル番号情報を通信管理サーバ装置２００に送信させる（ステップＳ１０７）。
【０１３１】
次いで、通信管理サーバ装置２００において、通信管理サーバ用通信制御部２１０がデジタルフォトフレーム１００からの指示に基づいて当該デジタルフォトフレーム１００との通信回線を確立し（ステップＳ２０１）、送信された電話番号情報およびシリアル番号情報を受信すると、通信管理サーバ用システム制御部２６０は、アクセス情報発行部２４０に、通信管理用第１データベース２２０を検索させ、受信されたモジュール識別情報および電話番号情報が通信管理用第１データベース２２０に記憶されているモジュール識別情報と当該記憶されているモジュール識別情報に関連づけて記憶されている電話番号情報とに一致するかどうかを判断させる（ステップＳ２０２）。
【０１３２】
また、通信管理サーバ用システム制御部２６０は、アクセス情報発行部２４０に、通信管理用第２データベース２３０を検索させ、受信されたシリアル番号情報が通信管理用第２データベース２３０に記憶されている複数のシリアル番号情報の何れかと一致するどうか判断させる（ステップＳ２０３）。
【０１３３】
次いで、アクセス情報発行部２４０は、受信されたモジュール識別情報、電話番号情報およびシリアル番号情報のすべてが通信管理用第１データベース２２０および通信管理用第２データベース２３０に記録されている各種のデータと一致すると判断した場合に、ランダムに発生させた英数字からなるアクセス情報を発行し（ステップＳ２０４）、当該発行したアクセス情報を、通信管理サーバ用通信制御部２１０を介して、デジタルフォトフレーム１００に送信する（ステップＳ２０５）。
【０１３４】
次いで、デジタルフォトフレーム１００において、通信管理サーバ装置２００から送信されたアクセス情報を受信すると、端末装置用制御部１６０は、表示部１５０に当該アクセス情報を所定の期間（例えば、１０分）表示する（ステップＳ１０８）。
【０１３５】
次いで、このアクセス情報を目視したユーザによって、デジタルフォトフレーム１００を用いて当該アクセス情報が操作部１８０を介して入力されると、端末装置用通信制御部１１０は、入力されたアクセス情報を通信管理サーバ装置２００に送信する（ステップＳ１０９）。
【０１３６】
なお、デジタルフォトフレーム１００を用いることなく、ＰＣや携帯電話機ＭＴなどの他の通信端末装置にて通信管理サーバ装置２００が管理する所定のＷｅｂサイトにて当該アクセス情報を入力することよって、アクセス情報を通信管理サーバ装置２００に応答するようにしてもよい。
【０１３７】
また、端末装置用制御部１６０は、通信管理サーバ装置２００における登録処理に連動して登録の確認を行うと（ステップＳ１１０）、通信管理サーバ装置２００との通信回線を遮断し（ステップＳ１１１）、本動作を終了させる。
【０１３８】
次いで、通信管理サーバ装置２００において、通信管理サーバ用システム制御部２６０の下、通信管理部２５０が、所定の期間内（例えば、２０分以内）にデジタルフォトフレーム１００から通信回線を介して直接受信すると、または、当該通信管理サーバ装置２００が管理するＷｅｂサイトからアクセス情報が入力されたことを確認すると、当該通信管理部２５０は、アクセス情報が発行されたデジタルフォトフレーム１００における登録処理を実行するとともに（ステップＳ２０６）、デジタルフォトフレーム１００との通信回線を遮断させ（ステップＳ２０７）、本動作を終了する、すなわち、デジタルフォトフレーム１００の画像データ提供サービスへの登録動作を終了させる。
【０１３９】
なお、通信管理サーバ装置２００における登録処理としては、登録されるデジタルフォトフレーム１００の電話番号情報およびシリアル番号情報に対応づけたＥメールアドレスを発行し、Ｅメールアドレス情報と電話番号情報およびシリアル番号情報を対応づけて第２データベースに記録する。
【０１４０】
また、この画像データ提供サービスの登録が終了すると、通信管理サーバ装置２００は、登録されたＥメールアドレス情報と電話番号情報およびシリアル番号情報を用いて画像データ提供サービスを実行する。
【０１４１】
以上、本実施形態のデータ配信システムＳは、デジタルフォトフレーム１００に電話番号が自動登録されれば、デジタルフォトフレームから送信されたシリアル番号情報、電話番号情報およびモジュール識別情報を受信してアクセス情報を生成することができるとともに、このように生成されたアクセス情報を所定の条件下にて受信すれば、デジタルフォトフレーム１００の画像データ提供サービスに関する通信の管理を開始することができる。
【０１４２】
したがって、本実施形態のデータ配信システムＳは、この画像データ提供サービスを開始する際に煩雑な手続きを省略することができるので、容易に購入可能で、かつ、容易に販売可能なデジタルフォトフレーム１００に対して実行可能なサービスを実現させることができる。
【０１４３】
また、本実施形態のデータ配信システムＳは、アクセス情報を、該当するデジタルフォトフレーム１００とは異なる携帯用通信端末装置などによって、デジタルフォトフレーム１００の近傍に当該デジタルフォトフレーム１００の操作することができる操作者が存在しない場合であっても、その近傍に存在する個人からの連絡その他の方法によってアクセス情報を取得することができれば、操作者がデジタルフォトフレーム１００の遠方に存在する場合であっても、画像データ提供サービスに登録することが可能となる。
【０１４４】
したがって、本実施形態のデータ配信システムＳは、サービスを開始する際に煩雑な手続きを省略することができるので、実際に使用するユーザがデジタルフォトフレーム１００の操作を行えない場合であっても、当該携帯用通信端末装置を介して通信管理サーバ装置２００が提供するサービスをこのようなユーザにも提供することができる。
【０１４５】
また、本実施形態のデータ配信システムＳは、公衆電話網回線にて使用される電話番号にてデジタルフォトフレーム１００の基本となる通信を行うことができるので、汎用性を高くすることができるとともに、低料金やサービスエリアの拡大など汎用性が高くなることによって生ずるサービスの向上により、ユーザにおける利便性を向上させることができる。
【０１４６】
また、本実施形態のデータ配信システムＳは、アクセス情報が発行されてから所定の期間内にアクセス情報が通信管理サーバに取得されなければ、当該通信管理サーバ装置２００が提供するサービスへの登録が成立しないので、デジタルフォトフレーム１００の誤認証や登録のミスを排除し、的確にデジタルフォトフレーム１００のサービスへの登録を行うことができる。
【０１４７】
なお、本実施形態の通信管理サーバ装置２００は、通信管理用第１データベース２２０および通信管理用第２データベース２３０が同一の場所に配設されているが、少なくともいずれか一のデータベースが、通信管理サーバ装置２００が配設されている場所とは離隔された場所に配設されている構成を有していてもよい。
【０１４８】
この場合に、ネットワークＮを介して相互にデータベース２２０、２３０と各部材が通信可能であれば、各処理を実施することができるので、データベースと各部材を同一の場所に配設することによって生ずる困難性を排除することができる。
【符号の説明】
【０１４９】
Ａ  …  表示エリア
Ｂ  …  バス
Ｎ  …  ネットワーク
Ｓ  …  データ配信システム
Ｍ１  …  外部メモリ
Ｍ２  …  ＳＩＭカード
ＡＴ  …  アンテナ
ＢＳ  …  基地局
ＭＴ  …  携帯用電話機
ＰＣ  …  パーソナルコンピュータ
１００  …  デジタルフォトフレーム
１１０  …  端末装置用通信制御部
１２０  …  メモリインターフェース
１３０  …  ＳＩＭカードインターフェース
１４０  …  データ再生部
１５０  …  表示部
１６０  …  端末装置用制御部
１７０  …  ＲＯＭ／ＲＡＭ
１８０  …  操作部
２００  …  通信管理サーバ装置
２１０  …  通信管理サーバ用通信制御部
２２０  …  通信管理用第１データベース
２３０  …  通信管理用第２データベース
２４０  …  アクセス情報発行部
２５０  …  通信管理部
２６０  …  通信管理サーバ用システム制御部
３００  …  登録管理サーバ装置
３１０  …  登録管理サーバ用通信制御部
３２０  …  登録管理用データベース
３３０  …  電話番号登録部
３４０  …  登録管理サーバ用システム制御部
【図１】
2011023948.tif 000003
【図２】
2011023948.tif 000004
【図３】
2011023948.tif 000005
【図４】
2011023948.tif 000006
【図５】
2011023948.tif 000007
【図６】
2011023948.tif 000008